(57)【要約】比較的僅かな減衰において非線形性を回避する分散という点で傑出している光導波体ケーブルは、第１のタイプ（Ｈ）の高レベルファイバとして構成されているファイバを有する少なくとも１つの第１の区間（ａ）と、第２のタイプ（Ｎ）の低レベルファイバとして構成されているファイバを有する少なくとも１つの第２の区間（ｂ）を有する。ここで、第１のタイプ（Ｈ）のファイバは第１の区間（ａ）と第２の区間（ｂ）との間の少なくとも１つの移行位置（Ｔ）において、第２のタイプ（Ｎ）のファイバと接続されている。第１のタイプ（Ｈ）のファイバは第２のタイプ（Ｎ）よりも大きいモードフィールド直径及び分散を有する。それに加え光信号を伝送する方法が提供される。この方法では伝送すべき光信号が、そのような光導波体ケーブルの第１の区間（ａ）の第１のタイプのファイバに入力結合され、所定の伝送路後では光導波体ケーブルの第２の区間（ｂ）の第２のタイプ（Ｎ）に供給される。
2004515820.tif 000002
【特許請求の範囲】
【請求項１】
例えば波長分割多重技術により光信号を伝送する光導波体ケーブルにおいて、
第１のタイプ（Ｈ）のファイバを有する少なくとも１つの第１の区間（ａ）と、第２のタイプ（Ｎ）のファイバを有する少なくとも１つの第２の区間（ｂ）とを有し、
前記第１のタイプ（Ｈ）のファイバは、前記第１の区間（ａ）と前記第２の区間（ｂ）との間の少なくとも１つの移行位置（Ｕ）において、前記第２のタイプ（Ｎ）のファイバと接続されており、
前記第１のタイプ（Ｈ）のファイバは、前記第２のタイプ（Ｎ）のファイバよりも大きいモードフィールド直径及び前記第２のタイプ（Ｎ）のファイバよりも大きい分散を有するように構成されていることを特徴とする、光導波体ケーブル。
【請求項２】
前記第２の区間（ｂ）は２つの前記第１の区間（ａ）の間に配置されている、請求項１記載の光導波体ケーブル。
【請求項３】
前記第１のタイプ（Ｈ）のファイバは、１５５０ｎｍの波長では８μｍ以上のモードフィールド直径を有する、請求項１または２記載の光導波体ケーブル。
【請求項４】
前記第２のタイプ（Ｎ）のファイバは、１５５０ｎｍの波長では６μｍ以上のモードフィールド直径を有する、請求項１から３のいずれか１項記載の光導波体ケーブル。
【請求項５】
前記第２のタイプ（Ｎ）のファイバのモードフィールド直径は、前記第１のタイプ（Ｈ）のファイバのモードフィールド直径よりも３μｍだけ小さい、請求項１から４のいずれか１項記載の光導波体ケーブル。
【請求項６】
前記第１のタイプ（Ｈ）のファイバの分散は、１５２５ｎｍから１６２５ｎｍの伝送帯域において１２ｐｓ／（ｎｍ・ｋｍ）から２２ｐｓ／（ｎｍ・ｋｍ）の間の値である、請求項１から５のいずれか１項記載の光導波体ケーブル。
【請求項７】
前記第２のタイプ（Ｎ）のファイバの分散は、１５２５ｎｍから１６２５ｎｍの伝送帯域において０ｐｓ／（ｎｍ・ｋｍ）から１２ｐｓ／（ｎｍ・ｋｍ）の間の値である、請求項１から５のいずれか１項記載の光導波体ケーブル。
【請求項８】
前記第１のタイプ（Ｈ）のファイバと前記第２のタイプ（Ｎ）との間の前記移行位置（Ｕ）には、前記第１のタイプ（Ｈ）のファイバのコア直径を所定の長さにわたり徐々に前記第２のタイプ（Ｎ）のファイバのコア直径へと低減させる移行部（Ｔ）が設けられている、請求項１から７のいずれか１項記載の光導波体ケーブル。
【請求項９】
前記第１の区間（ａ）及び／又は前記第２の区間（ｂ）には、前記第１のタイプ（Ｈ）のファイバも前記第２のタイプ（Ｎ）のファイバも設けられている、請求項１から８のいずれか１項記載の光導波体ケーブル。
【請求項１０】
前記第１のタイプ（Ｈ）のファイバと前記第２のタイプ（Ｎ）のファイバは相互に別個のグループに配置されている、請求項９記載の光導波体ケーブル。
【請求項１１】
前記第１のタイプ（Ｈ）のファイバ及び前記第２のタイプ（Ｎ）のファイバは、それぞれファイバ束、ファイバリボンまたは束心線として構成されている、請求項１０記載の光導波体ケーブル。
【請求項１２】
例えば波長分割多重技術により光信号を伝送する方法において、
伝送すべき光信号を光導波体ケーブルの第１の区間（ａ）に設けられている第１のタイプ（Ｈ）のファイバに入力結合し、所定の伝送路を過ぎると前記光導波体ケーブルの第２の区間（ｂ）に設けられている第２のタイプ（Ｎ）のファイバに案内し、
前記第１のタイプ（Ｈ）のファイバは前記第１の区間（ａ）と前記第２の区間（ｂ）との間の少なくとも１つの移行位置（Ｕ）において前記第２のタイプ（Ｎ）のファイバと接続されており、
前記第１のタイプ（Ｈ）のファイバは前記第２のタイプ（Ｎ）のファイバよりも大きいモードフィールド直径及び前記第２のタイプ（Ｎ）のファイバよりも大きい分散を有することを特徴とする、光信号を伝送する方法。
【請求項１３】
伝送すべき前記光信号を所定の伝送路の経過後に、前記第２の区間（ｂ）の第２のタイプ（Ｎ）のファイバを通過させて、別の第１の区間（ａ）の第１のタイプ（Ｈ）のファイバに案内する、請求項１２記載の方法。
【請求項１４】
前記光導波体ケーブルの光導波体は、接続ファイバまたはパッチケーブルによって送信器（Ｓ）、受信器（Ｅ）または送信器（Ｓ）と受信器（Ｅ）との間に設けられている増幅器（Ｖ）に接続される、請求項１２または１３記載の方法。
【発明の詳細な説明】
【０００１】
本発明は、例えば光信号を波長分割多重技術により伝送するための光導波体ケーブルに関する。本発明はさらに、そのような光導波体ケーブルが使用される光信号の伝送方法に関する。
【０００２】
データの伝送のために光導波体（ＬｗＬ）がますます使用されてきている。通常グラスファイバまたはプラスチックから製造される光導波体は、電磁的な妨害に対して非常に耐性があり、それに加え数Ｇｂｉｔ／ｓまでの非常に高い伝送レートという点で傑出している。光導波体は、例えばドープされた石英ガラスいわゆるコアガラスのような非常に透過性のある誘電性材料からなる薄い円柱状のファイバと、このファイバを取り囲むクラッドいわゆるクラッドガラスと、機械的な影響から保護された一般的に一層または二層の被覆いわゆる一次被覆とから構成されている。光導波体ケーブルは、敷設時または動作時に機械的、熱的及び化学的な影響から付加的に光導波体を保護する、通常はプラスチックからなる共通のケーブルクラッドいわゆる二次被覆によって覆われている、１つまたは複数の光導波体から構成されており。
【０００３】
通常電気信号として存在するデータは、光導波体を用いて伝送するために光学的な送信器例えばレーザダイオードによって光信号、すなわち所定の波長の光線に変換される。そのようにして伝送すべきデータと共に変調された光線は光導波体を通る経路を取り、このことは光が所定の角度、すなわち許容角度以下で光導波体に入力結合されるときに、光線がコアガラスとクラッドガラスとの間の境界層において全反射されることによって行われる。光線はこのようにして光導波体の曲面にも応じる。このことは、コアガラス及びクラッドガラスが異なる光密度を有する材料から製造されているということによる。光導波体を通って光信号が伝送されると、この光信号は処理のために再び電気信号へと変換される。
【０００４】
光導波体を用いる光信号の伝送は、所定の波長の光線の振幅変調、周波数変調または位相変調に基づく。光導波体の伝送容量をより良く利用するために、いわゆる波長分割多重技術（ＷＤＭ）が使用され、この波長分割多重技術では種々の波長が変調される。すなわち種々の波長が複数の信号を並行に伝送するために使用される。光学的な結合素子、いわゆる波長マルチプレクサは異なる波長を１つの波長多重信号にまとめ、この波長多重信号は光導波体を介して受信器へと伝送され、その受信器では波長デマルチプレクサ例えばフィルタによって再び個々の光信号へと分割される。波長マルチプレクサ技術は単方向動作にも双方向動作にも適しており、通常は８５０ｎｍ、１３００ｎｍ及び１５５０ｎｍの光学的な窓内の波長が使用される。
【０００５】
コアガラスにおける光線の案内形式に応じて、光導波体はシングルモードファイバ（単一モードファイバ）とマルチモードファイバに区別することができる。シングルモードファイバではコアガラスの直径は光の波長のオーダにあるので、唯一つのモードいわゆる基本モードのみがコアガラスにおいて伝播することができる。しかしながらこのモードはコアガラスも超えてクラッドガラスへと放射する。したがってあるモードの光分布を識別するためにモードフィールド直径（Ｍｏｄｅｎｆｅｌｄｄｕｒｃｈｍｅｓｓｅｒ）が使用され、このモードフィールド直径は光線のフィールド振幅がその最大値の１／ｅ倍（約３７％）までに降下されているレベルを示す。
【０００６】
これに対してマルチモードファイバでは、複数の離散した波長、特にフィールド分布及び伝播速度において異なるモードが信号伝送に寄与する。コアガラスの屈折数の構成に応じてマルチモードファイバは、コアガラス及びクラッドガラスが一定の屈折数を有するステップ形ファイバと、コアガラスの屈折数が外方に向かって増加するグレーデッド形ファイバとに区別することができる。ステップ形ファイバでは、光が光導波体の軸方向において並行に伝播せず、コアガラスとクラッドガラスとの間で反射する。このことはＺ字形の移動が生じ、個々のモードが異なる行程を進むこととなる。これらのモードの経過時間差によって光パルスの拡がりいわゆるモード分散が生じ、これは多くの場合色彩学的な分散と共に光導波体の帯域幅を制限する。これを回避するために、グレーデッド形ファイバではコアガラスにおける屈折数の推移が一定にされており、この結果光はコアガラス内で回折される。このようにして、Ｚ字形の経過の代わりにコアガラス内を伝播する光の波形状の移動が生じ、この移動では比較的長い行程は比較的速い伝播速度によって補償調整される。
【０００７】
光導波体の伝送能力は、分散によって影響される帯域幅の他に、主として波長に依存する減衰、すなわち散乱及び吸収に起因する伝送路の経過時の光線のエネルギ損失によって表されている。したがって伝送路が長い場合には増幅器、例えばファイバ光学的な増幅器または再生中継器が所定の間隔をおいて使用される。
【０００８】
それに加え伝送の到達距離を長くするために、大きい出力でもって光信号が光導波体に入力結合されることは有利である。しかしながら光導波体に供給できる出力は、いわゆる四光波混合のような非線形性の発生によって制限されている。確かにこの非線形性の妨害により現れる出力の上限を、例えば比較的大きいコアガラスの直径でもって光導波体の出力密度を低減することにより、また使用される伝送帯域において非線形性の妨害の累積を回避する分散を設けることによって高めることができる。しかしながらこのように上限を高めることは、過度に高い分散が波長毎に通常１０Ｇｂｉｔ／ｓのビットレートでもって６０から８０ｋｍの伝送路にわたり伝送すべき信号の線形性の拡がり（Ａｕｆｗｅｉｔｕｎｇ）を引き起こすことによって制限されている。
【０００９】
したがって従来技術においては、ＩＴＵ  Ｇ  ６５５により規格化されているファイバ、いわゆるＮＺＤＳファイバ（Ｎｏｎ−Ｚｅｒｏ−ｄｉｓｐｅｒｓｉｏｎ−ｓｈｉｆｔｅｄ−Ｆａｓｅｒｎ）を使用することが公知であり、このファイバは特別な構成に基づき１５５０ｎｍの波長の伝送帯域において２ｐｓ／（ｎｍ・ｋｍ）から５ｐｓ／（ｎｍ・ｋｍ）までの分散を使用できる。ここでは、通常約０．２０ｄＢ／ｋｍの減衰を有する従来のシングルモードファイバと比べると減衰が例えば０．２３ｄＢ／ｋｍと高められていることが欠点である。さらにはＴｅｎ等の論文「Ｖｉａｂｌｅ  ｄｉｓｐｅｒｓｉｏｎ  ｍａｎａｇｅｍｅｎｔ  ｓｃｈｅｍｅ  ｗｉｔｈ  ｓｔａｎｄａｒｄ  ａｎｄ  ＮＺＤＳＦ  ｆｉｂｅｒｓ  ｆｏｒ  １０  Ｇｂ／ｓ  ｗｄｍ  ｓｙｓｔｅｍｓ」ＥＣＯＣ２０から２４、１９９８年９月、Ｍａｄｒｉｄからは、平均して所望の分散を得るために、正の分散のファイバを有する区間と負の分散のファイバを有する区間とが交互に現れるよう配置することが公知である。しかしながらこのように構成された光導波体ケーブルを設けることは比較的多くの手間がかかり、経済的な観点において満足のいくものではない。
【００１０】
本発明の課題は、比較的小さい減衰において非線形性を回避する分散を簡単なやり方で達成できる光導波体ケーブルを提供することである。これに加え、そのような光導波体ケーブルが使用される光信号を伝送する方法が提供されるべきである。
【００１１】
この課題を解決するために、例えば光信号を波長分割多重技術により伝送する、第１のタイプのファイバを有する少なくとも１つの第１の区間と、第２のタイプのファイバを有する少なくとも１つの第２の区間とを有する光導波体ケーブルが提案され、第１のタイプのファイバは第１の区間と第２の区間との間の少なくとも１つの移行位置において第２のタイプのファイバと接続されており、第１のタイプのファイバは第２のファイバよりも大きいモードフィールド直径及び第２のタイプのファイバよりも大きい分散を有する。
【００１２】
そのようにして構成された光導波体ケーブルは、大きい出力の光信号が供給される送信器及び増幅器に接続された光導波体の領域において不所望な非線形性の大部分が生じるということの識別に適している。これは光導波体においては不可避の減衰に基づいて出力損失が生じることによる。この出力損失は所定の伝送路の経過後では供給される信号の出力を、非線形性の発生が無視されるほどに低減させる。例えば光導波体の減衰が僅か０．２ｄＢ／ｋｍと比較的少ない場合でも、１５ｋｍから３０ｋｍ後では既に全体で３ｄＢから６ｄＢの減衰が生じ、この減衰は供給される信号の出力を明らかに低減させる。
【００１３】
本発明による光導波体ケーブルでは、比較的大きいモードフィールド直径及び比較的大きい分散を有する第１のタイプのファイバを備えた第１の区間によって高レベルファイバが提供され、この高レベルファイバでもって、供給される信号の比較的大きい出力によって特徴付けられる送信器または増幅器と接続された領域における非線形性の発生が阻止される。これに対して通常のモードフィールド直径と呼ぶべき比較的小さいモードフィールド直径及び比較的小さい分散を有する第２のタイプのファイバが低レベルファイバとして構成されている第２の区間は、非線形性を無視することができる伝送路の位置から高ビットレートに関して好適な分散を設けることを可能にする。
【００１４】
２つの第１の区間の間に第２の区間が配置されることは殊に有利である。何故ならばこのようにして、光導波体ケーブルの両終端部から大きい出力の光信号を供給することを可能にし、従って双方向の動作に適している「高レベルファイバ−低レベルファイバ−高レベルファイバ」となる対称的な配置を達成することができるからである。したがって公知の実施形態との相違は、本発明による光導波体ケーブルは単方向動作では相互に隣接する僅か２つの区間から構成され、双方向動作では相互に隣接する僅か３つの区間から構成されており、したがって比較的廉価に製造することができるということである。
【００１５】
現行の伝送方式に関して、高レベルファイバとして構成されている第１のタイプのファイバが１５５０ｎｍの波長では８μｍ以上のモードフィールド直径を有し、低レベルファイバとして構成されている第２のタイプのファイバが１５５０の波長では６μｍ以上のモードフィールド直径を有する場合には好適である。第１のタイプのファイバと第２のタイプのファイバを接続する際に、第１の区間と第２の区間との間に移行位置における撚り損失を回避するために、第２のタイプのファイバモードフィールド直径が第１のタイプのファイバのモードフィールド直径よりも３μｍだけ小さい場合にはさらに好適であることが分かる。
【００１６】
それに加え実践に即した形態に関して、高レベルファイバとして構成されている第１のタイプのファイバの分散は１５２５ｎｍから１６２５ｎｍの伝送帯域において１２ｐｓ／（ｎｍ・ｋｍ）から２２ｐｓ／（ｎｍ・ｋｍ）の間であり、低レベルファイバとして構成されている第２のタイプのファイバの分散は１５２５ｎｍから１６２５ｎｍの伝送帯域では０ｐｓ／（ｎｍ・ｋｍ）から１２ｐｓ／（ｎｍ・ｋｍ）の間である場合には有利である。それに加え、第１のタイプのファイバと第２のタイプのファイバとの間の移行位置において、高レベルファイバのコアガラスの直径を光導波体ケーブルの所定の長さにわたり、徐々に低レベルファイバのコアガラスの直径へと低減させる移行部が設けられていることは有利である。一般的に、より小さい直径の方向へと円錐形にテーパにされたそのような移行部は、例えば溶接撚りないし融着撚りによって実現することができ、この撚りにおいては通常１００波長以上の距離にわたって高レベルファイバの終端部を線引きすることにより、低レベルファイバのコア直径へと徐々に移行することが達成される。
【００１７】
本発明の光導波体ケーブルの有利な実施形態においては、統一的、したがって簡単な製造に寄与するケーブル構造を保証するために、第１のタイプのファイバも第２のタイプのファイバも備えた第１の区間及び／又は第２の区間が設けられている。この場合有利には、第１のタイプのファイバ及び第２のタイプのファイバが相互に別個のグループに配置されており、その結果高レベルファイバと低レベルファイバの一義的な分類及び識別を保証することができる。それに加えこのために、第１のタイプのファイバ及び第２のタイプのファイバがそれぞれファイバ束、ファイバリボンまたは束心線として構成されている場合には有利である。
【００１８】
それに加え上述の課題を解決するために、例えば波長分割多重技術により光信号を伝送する方法が提供され、この方法では伝送すべき光信号が光導波体ケーブルの第１の区間に設けられている第１のタイプのファイバに入力結合され、所定の伝送路を過ぎると光導波体ケーブルの第２の区間に設けられている第２のタイプのファイバに案内され、ここで第１のタイプのファイバは第１の区間と第２の区間との間の少なくとも１つの移行位置において第２のタイプのファイバと接続されており、第２のタイプのファイバは第２のタイプのファイバよりも大きいモードフィールド直径及び第２のタイプのファイバよりも大きい分散を有する。
【００１９】
そのような方法は、比較的少ない光導波体ケーブルの減衰において非線形性を回避する分散を簡単に達成するために、本発明による光導波体ケーブルの上述の利点を使用する。
【００２０】
それに加えこの方法の実施形態においては、双方向の動作を実現するために、伝送すべき光信号は第２の区間の第２のタイプのファイバを通過する所定の伝送路を過ぎると、別の第１の区間の第１のタイプのファイバに案内されることが提案される。最後に、光導波体ケーブルの個々の光導波体は接続ファイバ、挿入接続部と共に事前に製造されたいわゆる銑鉄部またはパッチケーブル、既成の接続ケーブルによって、シンプレックスまたはデュプレクス技術用に構成されたプラグタイプを用いて、送信器、受信器または送信器と受信器との間に設けられた増幅器に結合される。このことは光導波体ケーブルを第１のタイプのファイバも第２のタイプのファイバも有する第１の区間及び第２の区間と、比較的僅かな手間でもって接続することもできるという利点を提供する。
【００２１】
本発明の詳細及び別の利点は、２つの有利な実施例の以下の説明から生じる。付属の図面には詳細に具体的に示されている。ここで図１ａは、例えばシングルモードまたはＮＺＤＳファイバを有する従来の光導波体ケーブルによって形成された伝送路の概略図である。図１ｂは、正及び負の分散のファイバが交互に現れる区間を有する従来の光導波体ケーブルによって形成された伝送路の概略図である。図２ａは、本発明の第１の実施形態の光導波体ケーブルによって形成された伝送路の概略図である。図２ｂは、本発明による第２の実施形態の光導波体ケーブルによって形成された伝送路の概略図である。図２ｃは、第２の実施形態の光導波体ケーブルの区間の間の移行位置を詳細に示した図２ｂの概略図である。図３ａは、束心線にグループ化されたファイバを有する本発明による光導波体ケーブルの断面図である。図３ｂは、ファイバリボンにグループ化された本発明による光導波体ケーブルの断面図である。
【００２２】
図１ａに図示された区間ｃから成る伝送路には従来の光導波体ケーブルが適用されており、この従来の光導波体ケーブルは区間ｃにおいてそれぞれ、単一のタイプのファイバ例えばシングルモードファイバまたはＮＺＤＳファイバから構成されている。そのような伝送路は例えば、光信号が大きい出力で入力結合される場合には、例えば非線形性の発生のような冒頭で説明した欠点をともなう。図１ｂに図示されている伝送路は確かに、平均して非線形性を回避する分散を得るために、正の分散のファイバを有する区間ｄ１と負の分散のファイバを有する区間ｄ２が交互に現れる光導波体ケーブルから形成されている。しかしながらそのようなケーブル管理では、手間が掛かり且つ経済的な観点において満足のいかない光導波体ケーブルの製造が目立つ。
【００２３】
これに対して図２ａに示している伝送路は１つの第１の区間ａと１つの第２の区間ｂから成る光導波体ケーブルから構成されている。区間ａは第１のタイプＨのファイバを有し、このファイバは比較的大きいモードフィールド直径及び比較的大きい分散を有し、高レベルファイバとして構成されている。これに対して区間ｂは第２のタイプＮのファイバを有し、このファイバは比較的小さいモードフィールド直径及び比較的小さい分散を有し、低レベルファイバとして構成されている。区間ａと区間ｂとの間の移行位置Ｕにおいては第１のタイプＨのファイバは融着撚りによって第２のタイプＮのファイバと接続されている。融着撚りによって、例えば０．０３ｄＢと０．３ｄＢの間の値を有する僅かな撚り減衰が保証される。
【００２４】
第１のタイプＨのファイバは、１５５０ｎｍの波長では８μｍ以上のモードフィールド直径を有し、１５２５ｎｍから１６２５ｎｍまでの伝送帯域においては分散が１２ｐｓ／（ｎｍ・ｋｍ）から２２ｐｓ／（ｎｍ・ｋｍ）の間となるように構成されている。これに対して第２のタイプＮのファイバは、１５５０の波長では６μｍ以上のモードフィールド直径を有する。ここで、第１のタイプＨのファイバのモードフィールド直径と第２のタイプＮのファイバのモードフィールド直径との差は３μｍより小さい。さらに第２のタイプＮのファイバは、１５２５ｎｍから１６２５ｎｍまでの伝送帯域においては分散が０ｐｓ／（ｎｍ・ｋｍ）から１２ｐｓ／（ｎｍ・ｋｍ）の間の値を取るように構成されている。
【００２５】
送信器Ｓまたは増幅器Ｖによって光信号が区間ａのファイバＨに大きい出力でもって入力結合される場合、高レベルファイバとして構成されているファイバＨの比較的大きいモードフィールド直径及び比較的大きい分散に起因する非線形成の発生は効果的に回避される。もっとも減衰は不可避であるので、光信号のエネルギすなわち光出力は区間ａの経過時に低減される。１０ｋｍから２０ｋｍ後では光信号の光出力は、非線形成の発生の可能性は無視されるほど僅かになるように低減される。光信号は移行位置Ｕにおいて、通常は区間ａよりも明らかに長く受信器Ｅまたは中間増幅器Ｖに達する区間ｂの低レベルファイバとして構成されているファイバＮへと案内される。その後所定のビットレートでの伝送に最適なファイバＮのより小さい減衰及びより小さいモードフィールド直径に基づいて、光導波体ケーブルの帯域幅は十分に使用されることになる。
【００２６】
しかしながら、図２ａによる光導波体ケーブルの前述の配置は、単方向動作にのみ適している。何故ならば低レベルファイバとして構成されているファイバＮに光信号が大きい出力でもって入力結合されることは区間ｂの終端部において上述の利点に結び付かないからである。双方向の動作に適した配置が図２ｂに示されている。光導波体ケーブルのこの実施形態では、第２の区間ｂが２つの第１の区間ａの間に配置されているので、非線形成の妨害の発生を恐れることなく、光信号を光導波体ケーブルの両終端部から入力結合することができる。
【００２７】
図２ｃには区間ａと区間ｂとの間の移行位置Ｕがより詳細に示されている。第１のタイプＨのファイバと第２のタイプのファイバＮとの間に設けられている移行部Ｔが見て取れる。移行部Ｔによって第１のタイプＨのファイバのコアガラスの直径は、通常は少なくとも１００波長となるそれぞれの適用事例に応じた相応の長さにわたって、徐々に第２のタイプＮのファイバのコアガラス直径へと低減される。上述したように、高レベルファイバとして構成されているファイバを低レベルファイバとして構成されているファイバＮと溶接するために融着撚りが使用される場合には、より小さい直径の方向へと円錐形にテーパにされた移行部Ｔは、高レベルファイバとして構成されているファイバＨの終端部が長手方向に線引きされて狭められることによって形成される。コアガラスの内部における光線はこのようにして漏斗状の隘路を通過する。
【００２８】
図３ａ及び図３ｂから、図２ａから図２ｃによる配置において使用される区間ａ及び区間ｂにおける光導波体ケーブルには第１のタイプＨのファイバも第２のタイプＮのファイバも設けることができることが分かる。そのような一体的なケーブル構造は簡単且つ費用のかからない製造を保証する。それに加え実践に即した取り付けに寄与する、高レベルファイバとして構成されているファイバＨと低レベルファイバとして構成されているファイバＮの一義的な分類及び識別を保証するために、ファイバＨとファイバＮが相互に独立したグループに配置されている。図３ａは束心線として構成されているファイバＨ、Ｎがケーブル芯の周囲に配置されているグループ化を示している。ケーブル芯Ｋ例えばＧＦＫから成るロッドは、光導波体ケーブルの熱的及び機械的な安定化に使用される。それに加えそのような網化は、個々のファイバＨ、Ｎの伸長は全体の光導波体ケーブルの伸長に対して殆ど依存しないという利点を供する。これに対して図３ｂは、第１のタイプＨのファイバと第２のタイプＮのファイバとがそれぞれファイバリボンとして構成されているグループ化を示している。
【００２９】
前述した光導波体ケーブルを用いて、全体的に比較的小さい減衰で簡単に非線形成を回避する分散を保証することができる。このことは例えば、高レベルファイバＨないし低レベルファイバＮとして設けられている少なくとも２つの区間ａ、ｂが設けられていることによる。光導波体ケーブルが区間ａ、ｂにおいて、高レベルファイバとして構成されているファイバＨ及び低レベルファイバとして構成されているファイバＮが同時に設けられている構造を有することも可能である。適用事例に応じてそのように混合された区間を単一のファイバタイプの同形の区間と組み合わせることもできる。後者では混合された区間へのファイバＮ、Ｈのグループ化によって、実践に即したケーブル化は顧慮されない。
【図面の簡単な説明】
【図１】
従来技術の光導波体ケーブルである。
【図２】
本発明による光導波体ケーブルである。
【図３】
本発明による光導波体ケーブルの断面図である。
【符号の説明】
ａ  第１の区間、  ｂ  第２の区間、  ｃ  シングルモードファイバまたはＮＺＤＳファイバから成る区間、  ｄ１  正の分散を有するファイバから成る区間、  ｄ２  負の分散を有するファイバから成る区間、  Ｅ  受信器、  Ｈ  高レベルファイバ、  Ｋ  ケーブル芯、  Ｎ  低レベルファイバ、  Ｓ  送信器、  Ｔ  移行部、  Ｕ  移行位置、  Ｖ  増幅器
【図１】
2004515820.tif 000003
【国際公開パンフレット】
2004515820.tif 000004
2004515820.tif 000005
2004515820.tif 000006
2004515820.tif 000007
2004515820.tif 000008
2004515820.tif 000009
2004515820.tif 000010
2004515820.tif 000011
2004515820.tif 000012
2004515820.tif 000013
2004515820.tif 000014
2004515820.tif 000015
2004515820.tif 000016
2004515820.tif 000017
2004515820.tif 000018
2004515820.tif 000019
2004515820.tif 000020
2004515820.tif 000021
2004515820.tif 000022
【国際公開パンフレット（コレクトバージョン）】
2004515820.tif 000023
2004515820.tif 000024
【手続補正書】
【提出日】平成15年3月10日(2003.3.10)
【手続補正１】
【補正対象書類名】明細書
【補正対象項目名】特許請求の範囲
【補正方法】変更
【補正の内容】
【特許請求の範囲】
【請求項１】
例えば波長分割多重技術により光信号を伝送する光導波体ケーブルにおいて、
第１のタイプ（Ｈ）のファイバを有する少なくとも１つの第１の区間（ａ）と、第２のタイプ（Ｎ）のファイバを有する少なくとも１つの第２の区間（ｂ）とを有し、
前記第１のタイプ（Ｈ）のファイバは、前記第１の区間（ａ）と前記第２の区間（ｂ）との間の少なくとも１つの移行位置（Ｕ）において、前記第２のタイプ（Ｎ）のファイバと接続されており、
前記第１のタイプ（Ｈ）のファイバは、分散を有さないまたは正の分散を有する前記第２のタイプ（Ｎ）のファイバよりも大きいモードフィールド直径及び大きい分散を有するように構成されていることを特徴とする、光導波体ケーブル。
【請求項２】
前記第２の区間（ｂ）は２つの前記第１の区間（ａ）の間に配置されている、請求項１記載の光導波体ケーブル。
【請求項３】
前記第１のタイプ（Ｈ）のファイバは、１５５０ｎｍの波長では８μｍ以上のモードフィールド直径を有する、請求項１または２記載の光導波体ケーブル。
【請求項４】
前記第２のタイプ（Ｎ）のファイバは、１５５０ｎｍの波長では６μｍ以上のモードフィールド直径を有する、請求項１から３のいずれか１項記載の光導波体ケーブル。
【請求項５】
前記第２のタイプ（Ｎ）のファイバのモードフィールド直径は、前記第１のタイプ（Ｈ）のファイバのモードフィールド直径よりも３μｍだけ小さい、請求項１から４のいずれか１項記載の光導波体ケーブル。
【請求項６】
前記第１のタイプ（Ｈ）のファイバの分散は、１５２５ｎｍから１６２５ｎｍの伝送帯域において１２ｐｓ／（ｎｍ・ｋｍ）から２２ｐｓ／（ｎｍ・ｋｍ）の間の値である、請求項１から５のいずれか１項記載の光導波体ケーブル。
【請求項７】
前記第２のタイプ（Ｎ）のファイバの分散は、１５２５ｎｍから１６２５ｎｍの伝送帯域において０ｐｓ／（ｎｍ・ｋｍ）から１２ｐｓ／（ｎｍ・ｋｍ）の間の値である、請求項１から５のいずれか１項記載の光導波体ケーブル。
【請求項８】
前記第１のタイプ（Ｈ）のファイバと前記第２のタイプ（Ｎ）との間の前記移行位置（Ｕ）には、前記第１のタイプ（Ｈ）のファイバのコア直径を所定の長さにわたり徐々に前記第２のタイプ（Ｎ）のファイバのコア直径へと低減させる移行部（Ｔ）が設けられている、請求項１から７のいずれか１項記載の光導波体ケーブル。
【請求項９】
前記第１の区間（ａ）及び／又は前記第２の区間（ｂ）には、前記第１のタイプ（Ｈ）のファイバも前記第２のタイプ（Ｎ）のファイバも設けられている、請求項１から８のいずれか１項記載の光導波体ケーブル。
【請求項１０】
前記第１のタイプ（Ｈ）のファイバと前記第２のタイプ（Ｎ）のファイバは相互に別個のグループに配置されている、請求項９記載の光導波体ケーブル。
【請求項１１】
前記第１のタイプ（Ｈ）のファイバ及び前記第２のタイプ（Ｎ）のファイバは、それぞれファイバ束、ファイバリボンまたは束心線として構成されている、請求項１０記載の光導波体ケーブル。
【請求項１２】
例えば波長分割多重技術により光信号を伝送する方法において、
伝送すべき光信号を光導波体ケーブルの第１の区間（ａ）に設けられている第１のタイプ（Ｈ）のファイバに入力結合し、所定の伝送路を過ぎると前記光導波体ケーブルの第２の区間（ｂ）に設けられている第２のタイプ（Ｎ）のファイバに案内し、
前記第１のタイプ（Ｈ）のファイバは前記第１の区間（ａ）と前記第２の区間（ｂ）との間の少なくとも１つの移行位置（Ｕ）において前記第２のタイプ（Ｎ）のファイバと接続されており、
前記第１のタイプ（Ｈ）のファイバは、分散を有さないまたは正の分散を有する前記第２のタイプ（Ｎ）のファイバよりも大きいモードフィールド直径及び大きい分散を有することを特徴とする、光信号を伝送する方法。
【請求項１３】
伝送すべき前記光信号を所定の伝送路の経過後に、前記第２の区間（ｂ）の第２のタイプ（Ｎ）のファイバを通過させて、別の第１の区間（ａ）の第１のタイプ（Ｈ）のファイバに案内する、請求項１２記載の方法。
【請求項１４】
前記光導波体ケーブルの光導波体は、接続ファイバまたはパッチケーブルによって送信器（Ｓ）、受信器（Ｅ）または送信器（Ｓ）と受信器（Ｅ）との間に設けられている増幅器（Ｖ）に接続される、請求項１２または１３記載の方法。
【国際調査報告】
2004515820.tif 000025
2004515820.tif 000026
2004515820.tif 000027
2004515820.tif 000028
2004515820.tif 000029
2004515820.tif 000030